(57)【要約】【課題】被検眼の固視を安定させて、良好な被検眼の画像を撮影することが可能な仕組みを提供する。【解決手段】被検眼の固視を促す固視標８１０を投影し、被検眼の眼底面８００に対してＯＣＴ測定光を走査する際に、当該ＯＣＴ測定光の走査に伴うＯＣＴ測定光の走査位置８２１の移動と固視標８１０の投影位置とに応じて、ＯＣＴ測定光が照射されている位置とは異なる位置に、画像の生成に用いない光であってＯＣＴ測定光から被検者が注意をそらすための気晴らし光の投影位置８２２を移動する制御を行う。【選択図】図８
2018094222.tif 000002
【特許請求の範囲】
【請求項１】
被検眼の眼底に測定光を照射し、前記眼底からの前記測定光の戻り光を用いて画像を撮影する眼科撮影装置であって、
前記眼底に対して前記測定光である第１の光を走査する走査手段と、
前記眼底に対して前記画像の生成に用いない第２の光を投影する投影手段と、
前記走査手段による前記第１の光の走査と前記被検眼に対して当該被検眼の固視を促す固視標の投影位置とに応じて、前記第１の光が照射されている位置とは異なる位置に、前記投影手段による前記第２の光の投影位置を移動する制御を行う制御手段と
を有することを特徴とする眼科撮影装置。
【請求項２】
前記制御手段は、前記走査手段による前記第１の光の主走査方向に交差する方向であって前記第１の光の走査方向とは逆方向に、前記第２の光の投影位置を移動する制御を行うことを特徴とする請求項１に記載の眼科撮影装置。
【請求項３】
前記制御手段は、前記固視標の投影位置と前記走査手段による前記第１の光の走査位置との第１の距離と、前記固視標の投影位置と前記投影手段による前記第２の光の投影位置との第２の距離と、が同じになるように、前記第２の光の投影位置を移動する制御を行うことを特徴とする請求項１または２に記載の眼科撮影装置。
【請求項４】
前記制御手段は、前記投影手段による前記第２の光の投影位置を回転移動する制御を行うことを特徴とする請求項１に記載の眼科撮影装置。
【請求項５】
前記制御手段は、前記固視標の投影位置を中心として、前記投影手段による前記第２の光の投影位置を回転移動する制御を行うことを特徴とする請求項４に記載の眼科撮影装置。
【請求項６】
前記投影手段は、前記第１の光の幅よりも大きい幅の前記第２の光を投影することを特徴とする請求項１に記載の眼科撮影装置。
【請求項７】
前記投影手段は、少なくとも２つの前記第２の光を投影するものであり、
前記制御手段は、
前記２つの第２の光のうちの一方の第２の光については、前記第１の光が照射されている位置とは異なる位置に当該一方の第２の光の投影位置を移動する制御を行い、
前記２つの第２の光のうちの他方の第２の光については、当該他方の第２の光の中に前記第１の光が含まれるように当該他方の第２の光の投影位置を移動する制御を行う
ことを特徴とする請求項６に記載の眼科撮影装置。
【請求項８】
前記制御手段は、前記一方の第２の光については、前記固視標の投影位置と前記一方の第２の光の投影位置との第１の距離と、前記固視標の投影位置と前記他方の第２の光の投影位置との第２の距離と、が同じになるように、当該一方の第２の光の投影位置を移動する制御を行うことを特徴とする請求項７に記載の眼科撮影装置。
【請求項９】
前記走査手段とは異なる第２の走査手段を更に有し、
前記投影手段は、光源を有し、
前記制御手段は、前記第２の走査手段を介して前記第２の光および前記固視標が前記第１の光が照射されている位置とは異なる位置に投影されるように、前記第２の光および前記固視標が投影されるタイミングで前記光源を制御することを特徴とする請求項１乃至８のいずれか１項に記載の眼科撮影装置。
【請求項１０】
前記走査手段による前記第１の光の走査と、前記制御手段による前記第２の光の投影位置の移動とは、並行して行われることを特徴とする請求項１乃至９のいずれか１項に記載の眼科撮影装置。
【請求項１１】
被検眼の眼底に測定光を照射し、前記眼底からの前記測定光の戻り光を用いて画像を撮影する眼科撮影装置の制御方法であって、
前記眼底に対して、走査手段を用いて前記測定光である第１の光を走査する走査ステップと、
前記眼底に対して、投影手段を用いて前記画像の生成に用いない第２の光を投影する投影ステップと、
前記走査手段による前記第１の光の走査と前記被検眼に対して当該被検眼の固視を促す固視標の投影位置とに応じて、前記第１の光が照射されている位置とは異なる位置に、前記投影手段による前記第２の光の投影位置を移動する制御を行う制御ステップと
を有することを特徴とする眼科撮影装置の制御方法。
【請求項１２】
請求項１１に記載の眼科撮影装置の制御方法における各ステップをコンピュータに実行させるためのプログラム。
【発明の詳細な説明】
【技術分野】
【０００１】
本発明は、被検眼の画像を撮影する眼科撮影装置及びその制御方法、並びに、当該制御方法をコンピュータに実行させるためのプログラムに関するものである。
【背景技術】
【０００２】
光学機器を用いて被検眼の画像を撮影する眼科撮影装置として、例えば、前眼部撮影装置や、眼底カメラ、共焦点レーザー走査検眼鏡（Ｓｃａｎｎｉｎｇ  Ｌａｓｅｒ  Ｏｐｈｔｈａｌｍｏｓｃｏｐｅ:ＳＬＯ）装置、光干渉断層撮影装置（Ｏｐｔｉｃａｌ  Ｃｏｈｅｒｅｎｃｅ  Ｔｏｍｏｇｒａｐｈｙ：以下、「ＯＣＴ装置」と呼ぶ）等が知られている。このような眼科撮影装置の中でも、ＯＣＴ装置は、被検眼の眼底（例えば、網膜）の断層画像を取得できるため、網膜の専門外来では必要不可欠な装置になりつつある。
【０００３】
例えば、ＯＣＴ装置では、Ｂスキャン（１次方向への走査（ｘ方向／ｙ方向））をＢスキャン方向（例えば、ｘ方向）と直交する方向（例えば、ｙ方向）に複数回行うことにより、３次元の断層画像を取得することができる。この場合、３次元の断層画像を取得できるため、病変の広がりや網膜内の各層の観察、特に、緑内障の原因である視神経細胞層の観察などに非常に有効である。この３次元の断層画像を取得する際には、起点から終点に向かってＢスキャン画像を順次取得する。そして、一般的に、当該Ｂスキャン画像の取得中は、眼球運動が起きないように固視標と呼ばれる輝点を視野内に置き、視点が動くことを抑制している。
【０００４】
ＯＣＴ装置では、測定光として使用される低コヒーレント光は、一般に８５０ｎｍ近辺の赤外光が用いられる。このような赤外光に対して人間の眼は感度を示さないが、直接光を眼に入射するため、人間の眼は、当該光を赤い光として捉えてしまう。そのため、例えば、Ｂスキャン中、人間の眼には、１本の赤い輝線が見える。そして、３次元の断層画像を取得するために起点から終点に向かってＢスキャン画像を順次取得する過程において、人間の眼では、上述した輝線が起点から終点に向かって（例えば、上から下に向かって）移動して行くように見える。この場合、眼球がサッケードと呼ばれる動きをしながら上述した輝線を追いかけてしまう可能性があり、視線（眼球の位置）が変化してしまう恐れがある。
【０００５】
これに対応すべく、被検者の視線を安定させるための手法として、例えば、特許文献１に記載の技術がある。具体的に、特許文献１には、測定光を走査する領域を２つに分割し、当該分割した領域各々に対して測定光を各走査タイミング毎に所定時間内（眼が残像として捉える時間内）に１次走査する技術が記載されている。この際、特許文献１では、各走査タイミングに対応して実施する１次走査の開始点における全てのｙ方向に沿った座標の平均を、副走査方向における略中心の座標と一致させるようにしている。
【先行技術文献】
【特許文献】
【０００６】
【特許文献１】特開２０１１−２３４７５０号公報
【発明の概要】
【発明が解決しようとする課題】
【０００７】
しかしながら、特許文献１に記載の技術では、測定光を走査する領域を２つに分割することで測定光の走査距離（移動量）が長くなり、その結果、本来の撮影時間に比べると時間が長くなる。さらに、撮影時間が長くなることで被検眼の固視微動の頻度が多くなり、測定したデータの不連続性が発生する可能性が高くなる。即ち、従来の技術においては、被検眼の固視を安定させて、良好な被検眼の画像を撮影することが困難であるという問題があった。
【０００８】
本発明は、このような問題点に鑑みてなされたものであり、被検眼の固視を安定させて、良好な被検眼の画像を撮影することが可能な仕組みを提供することを目的とする。
【課題を解決するための手段】
【０００９】
本発明の眼科撮影装置は、被検眼の眼底に測定光を照射し、前記眼底からの前記測定光の戻り光を用いて画像を撮影する眼科撮影装置であって、前記眼底に対して前記測定光である第１の光を走査する走査手段と、前記眼底に対して前記画像の生成に用いない第２の光を投影する投影手段と、前記走査手段による前記第１の光の走査と前記被検眼に対して当該被検眼の固視を促す固視標の投影位置とに応じて、前記第１の光が照射されている位置とは異なる位置に、前記投影手段による前記第２の光の投影位置を移動する制御を行う制御手段とを有する。
また、本発明は、上述した眼科撮影装置の制御方法、及び、当該制御方法をコンピュータに実行させるためのプログラムを含む。
【発明の効果】
【００１０】
本発明によれば、被検眼の固視を安定させて、良好な被検眼の画像を撮影することが可能となる。
【図面の簡単な説明】
【００１１】
【図１】本発明の第１の実施形態に係る眼科撮影装置の概略構成の一例を示す図である。
【図２】本発明の第１の実施形態を示し、図１に示す撮影部の概略構成の一例を示す図である。
【図３】本発明の第１の実施形態を示し、図１に示す処理・制御部の概略構成の一例を示す図である。
【図４】図３に示す画像生成部で生成された眼底正面画像及び断層画像（Ｂスキャン画像）の一例を示す図である。
【図５】本発明の第１の実施形態に係る眼科撮影装置の表示部の表示例を示す図である。
【図６】本発明の第１の実施形態に係る眼科撮影装置の制御方法における処理手順の一例を示すフローチャートである。
【図７】図６のステップＳ１０９における３次元断層画像撮影処理（３Ｄ断層画像撮影処理）の詳細な処理手順の一例を示すフローチャートである。
【図８】本発明の第１の実施形態に係る眼科撮影装置の気晴らし光投影制御部による気晴らし光投影制御の具体例を示す図である。
【図９】本発明の第２の実施形態を示し、図１に示す撮影部の概略構成の一例を示す図である。
【発明を実施するための形態】
【００１２】
以下に、図面を参照しながら、本発明を実施するための形態（実施形態）について説明する。
【００１３】
（第１の実施形態）
まず、本発明の第１の実施形態について説明する。
【００１４】
なお、以下の本実施形態では、被検眼の眼底に対して、測定光とは別に、測定光から注意を逸らすための気晴らし光（気逸らし光）を投影し、測定光の軌跡と連動して気晴らし光の投影位置を移動させることによって、被検者の固視を安定させる例を説明する。
【００１５】
図１は、本発明の第１の実施形態に係る眼科撮影装置１０００の概略構成の一例を示す図である。眼科撮影装置１０００は、図１に示すように、撮影部１１００、処理・制御部１２００、及び、表示部１３００を有して構成されている。この眼科撮影装置１０００は、例えば、上述したＯＣＴ装置とＳＬＯ装置の機能を含む装置である。
【００１６】
撮影部１１００は、処理・制御部１２００の制御に基づいて、被検眼の眼底に測定光を照射し、被検眼の眼底からの測定光の戻り光を受光してこれを画像信号として検出する。
【００１７】
処理・制御部１２００は、例えば処理・制御部１２００に接続された操作入力部（不図示）から入力された入力情報に基づいて、眼科撮影装置１０００の動作を統括的に制御することや各種の処理を行う。例えば、処理・制御部１２００は、撮影部１１００で取得された画像信号から被検眼の眼底画像を生成する処理を行う。本実施形態では、眼底画像には、眼底正面画像と断層画像が含まれるものとする。ここで、眼底正面画像は、被検眼の眼底を正面から見た際の２次元画像である。
【００１８】
表示部１３００は、処理・制御部１２００の制御に基づいて、各種の画像や各種の情報等を表示する。例えば、表示部１３００は、処理・制御部１２００で生成された眼底画像を表示する。
【００１９】
図２は、本発明の第１の実施形態を示し、図１に示す撮影部１１００の概略構成の一例を示す図である。なお、以下の説明においては、図２に示す、第１の実施形態における撮影部１１００を「撮影部１１００−１」として説明する。また、図２に示すように、図２における紙面に垂直な方向をｘ方向とし、図２における紙面の上下方向をｙ方向とし、図２における紙面の左右方向をｚ方向とする。また、ｘ方向のスキャンを水平スキャンとし、ｙ方向のスキャンを垂直スキャンとする。
【００２０】
撮影部１１００−１は、図２に示すように、投影部１１１０、眼底正面画像撮影部１１２０、及び、断層画像撮影部１１３０を有して構成されている。
【００２１】
投影部１１１０は、図２に示すように、固視標投影部１１１１、気晴らし光投影部１１１２、及び、光分割部材１１１３を有して構成されている。
【００２２】
固視標投影部１１１１は、被検眼Ｅ（被検眼Ｅの眼底Ｅｒ）に対して被検眼Ｅの固視を促す固視標（例えば２次元（２Ｄ）の固視標）を投影する。この固視標投影部１１１１は、例えば固視灯で構成されている。この固視標投影部１１１１からの光は、光分割部材１１１３、断層画像撮影部１１３０の光分割部材１１３２及び対物光学系１１３１を経由して被検眼Ｅの眼底Ｅｒ（網膜）に導かれ、固視標として投影させる。
【００２３】
気晴らし光投影部１１１２は、断層画像撮影部１１３０（或いは眼底正面画像撮影部１１２０）による測定光から被検者が注意をそらすための気晴らし光（例えば２次元（２Ｄ）の気晴らし光）を被検眼Ｅの眼底Ｅｒに対して投影する。この気晴らし光は、眼底画像の生成に用いない光である。この気晴らし光投影部１１１２からの光は、光分割部材１１１３、断層画像撮影部１１３０の光分割部材１１３２及び対物光学系１１３１を経由して被検眼Ｅの眼底Ｅｒ（網膜）に導かれ、気晴らし光として投影させる。
【００２４】
光分割部材１１１３は、気晴らし光投影部１１１２と固視標投影部１１１１が発生するそれぞれの光（可視光）を、断層画像撮影部１１３０の光分割部材１１３２及び対物光学系１１３１を通して被検眼Ｅの眼底Ｅｒに導く。
【００２５】
眼底正面画像撮影部１１２０は、ＳＬＯ装置の機能を有して構成され、被検眼Ｅの眼底に対して測定光を走査して眼底正面画像を撮影する。具体的に、本実施形態では、眼底正面画像撮影部１１２０、断層画像撮影部１１３０の光分割部材１１３３及び１１３２と対物光学系１１３１により、眼底正面画像が撮影される。この眼底正面画像撮影部１１２０は、図２に示すように、ＳＬＯレーザー光源１１２１、ＳＬＯ信号検出部１１２２、ＳＬＯ走査光学系１１２３、及び、光分割部材１１２４を有して構成されている。なお、本実施形態においては、眼底正面画像撮影部１１２０は、フライングスポットＳＬＯ装置の機能を有しているものとする。
【００２６】
ＳＬＯレーザー光源１１２１からのＳＬＯレーザー光は、光分割部材１１２４を通し、ＳＬＯ走査光学系１１２３に入力される。ＳＬＯ走査光学系１１２３は、入力されたＳＬＯレーザー光をガルバノミラー（不図示）に集光してＳＬＯ測定光の走査を行う。ここでのガルバノミラーは、例えば、水平スキャンをするポリゴンミラーと垂直スキャンをするスキャナから構成することができる。ＳＬＯ走査光学系１１２３で走査されたＳＬＯ測定光は、光分割部材１１３３及び１１３２を通り、対物光学系１１３１を介して、被検眼Ｅの眼底Ｅｒ（網膜）に到達する。そして、被検眼Ｅの眼底Ｅｒで反射したＳＬＯ測定光の戻り光は、再び、対物光学系１１３１、光分割部材１１３２及び１１３３、ＳＬＯ走査光学系１１２３、光分割部材１１２４を辿り、光分割部材１１２４でＳＬＯ信号検出部１１２２に導かれる。そして、ＳＬＯ信号検出部１１２２は、被検眼Ｅの眼底ＥｒからのＳＬＯ測定光の戻り光を受光して、これを電気的な画像信号に係るＳＬＯ信号として検出する。
【００２７】
断層画像撮影部１１３０は、ＯＣＴ装置の機能を有して構成され、被検眼Ｅの眼底に対して測定光を走査して断層画像を撮影する。この断層画像撮影部１１３０は、図２に示すように、対物光学系１１３１、光分割部材１１３２及び１１３３、ＯＣＴ信号検出部１１３４、ＳＬＤ光源１１３５、ファイバカプラ１１３６、ＯＣＴ走査光学系１１３７、参照光コリメータ１１３８、並びに、参照ミラー１１３９を有して構成されている。なお、本実施形態においては、断層画像撮影部１１３０は、干渉光を分光して検出した信号をフーリエ変換して断層画像を生成するスペクトラルドメイン方式のＯＣＴ装置の機能を有しているものとする。
【００２８】
具体的に、断層画像撮影部１１３０では、被検眼Ｅに対向して対物レンズ等の対物光学系１１３１が設置され、その光軸上に光分割部材１１３２と光分割部材１１３３が配置されている。これらの光分割部材１１３２と光分割部材１１３３によって、光の波長帯域ごとに、断層画像撮影部１１３０の光路、眼底正面画像撮影部１１２０の光路、及び、投影部１１１０の光路とに分岐される。
【００２９】
低コヒーレンス光源であるＳＬＤ光源１１３５から発せられた光は、ファイバカプラ１１３６に入射する。ファイバカプラ１１３６は、入射した光を測定光Ｂｍと参照光Ｂｒとに分離し、測定光Ｂｍを光ファイバによりＯＣＴ走査光学系１１３７に導き、参照光Ｂｒを参照光コリメータ１１３８に導く。
【００３０】
ＯＣＴ走査光学系１１３７は、ファイバカプラ１１３６から導かれた測定光Ｂｍをガルバノミラー（不図示）に集光してＯＣＴ測定光の走査を行う。ここでのガルバノミラーは、例えば、水平スキャンをするスキャナと垂直スキャンをするスキャナから構成することができる。ＯＣＴ走査光学系１１３７で走査されたＯＣＴ測定光である測定光Ｂｍは、光分割部材１１３３及び１１３２を通り、対物光学系１１３１を介して、被検眼Ｅの眼底Ｅｒ（網膜）に到達する。そして、被検眼Ｅの眼底Ｅｒで反射した測定光Ｂｍの戻り光は、再び、対物光学系１１３１、光分割部材１１３２及び１１３３、ＯＣＴ走査光学系１１３７を辿り、ファイバカプラ１１３６に導かれる。
【００３１】
一方、ファイバカプラ１１３６で分離された参照光Ｂｒは、光ファイバにより参照光コリメータ１１３８を介して、参照ミラー１１３９に到達する。ここで、本実施形態においては、参照ミラー１１３９の位置を変更することにより、参照光Ｂｒの光路長を変更することができるように構成されている。そして、参照ミラー１１３９で反射した参照光Ｂｒの戻り光は、再び、参照光コリメータ１１３８を介して、ファイバカプラ１１３６に導かれる。
【００３２】
そして、ファイバカプラ１１３６では、測定光Ｂｍの戻り光と参照光Ｂｒの戻り光とが干渉して干渉光が生成され、この干渉光がＯＣＴ信号検出部１１３４に導かれる。そして、ＯＣＴ信号検出部１１３４は、ファイバカプラ１１３６から干渉光を受光して、これを電気的な画像信号に係るＯＣＴ信号として検出する。
【００３３】
本実施形態では、例えば、ＳＬＯレーザー光源１１２１の波長を７５０ｎｍとし、ＳＬＤ光源１１３５の波長を８５０ｎｍとする。また、本実施形態では、例えば、気晴らし光投影部１１１２からの光（可視光）の波長を６５０ｎｍ（レッド）とし、固視標投影部１１１１からの光（可視光）の波長を５５０ｎｍ（グリーン）とする。ただし、これは飽くまでも一例であり、これらの波長に制限をされることなく、その他の波長でＳＬＯレーザー光源１１２１の光、ＳＬＤ光源１１３５の光、気晴らし光投影部１１１２及び固視標投影部１１１１からの光（可視光）を構成してもよい。
【００３４】
また、本実施形態では、例えば、光分割部材１１３２と光分割部材１１３３をダイクロミラーとし、光分割部材１１２４は孔空きミラーとする。さらに、本実施形態では、例えば、光分割部材１１１３をハーフミラーとする。ただし、これは飽くまでも一例であり、それぞれをハーフミラー等のように光を２つに分割できる部材を利用してもよい。
【００３５】
また、本実施形態では、例えば、断層画像撮影部１１３０における干渉系としてマイケルソン干渉系を想定したものとするが、これは飽くまでも一例であり、マッハツェンダー干渉系を適用してもよい。この際、断層画像撮影部１１３０において、測定光Ｂｍと参照光Ｂｒとの光量差に応じて、例えば、光量差が所定値よりも大きい場合にはマッハツェンダー干渉系を適用し、光量差が所定値よりも小さい場合にはマイケルソン干渉系を適用することが望ましい。
【００３６】
なお、本実施形態では、断層画像撮影部１１３０として、フーリエドメイン（Ｆｏｕｒｉｅｒ  Ｄｏｍａｉｎ：ＦＤ）方式のＯＣＴ装置のうち、スペクトラルドメイン（Ｓｐｅｃｔｒａｌ  Ｄｏｍａｉｎ：ＳＤ）方式のＯＣＴ装置を適用する例を示した。しかしながら、本発明においてはこれに限定されるものではなく、断層画像撮影部１１３０として、他の方式のＯＣＴ装置を適用してもよい。例えば、断層画像撮影部１１３０として、波長掃引光源を用いたスウェプトソース（ＳＳ：Ｓｗｅｐｔ  Ｓｏｕｒｃｅ：ＳＳ）方式のＯＣＴ装置を適用することも可能である。
【００３７】
図２に示す撮影部１１００−１では、被検眼Ｅの眼底Ｅｒに対して、測定光とは別に、気晴らし光を投影しながら、断層画像または眼底正面画像を撮影するようにしている。
【００３８】
図３は、本発明の第１の実施形態を示し、図１に示す処理・制御部１２００の概略構成の一例を示す図である。処理・制御部１２００は、図３に示すように、画像生成部１２１０、記憶部１２２０、撮影制御部１２３０、及び、表示制御部１２４０を有して構成されている。
【００３９】
画像生成部１２１０は、撮影制御部１２３０による撮影制御により、撮影部１１００から得られた画像信号に基づいて、眼底画像を生成する処理を行う。具体的に、本実施形態においては、画像生成部１２１０は、眼底画像として、断層画像撮影部１１３０で得られたＯＣＴ信号に基づいて断層画像を生成し、眼底正面画像撮影部１１２０で得られたＳＬＯ信号に基づいて眼底正面画像を生成する。
【００４０】
記憶部１２２０は、各種の画像や各種の情報等を記憶する。例えば、記憶部１２２０は、画像生成部１２１０で生成された眼底画像を記憶する。また、例えば、記憶部１２２０は、被検眼Ｅの撮影に使われた撮影パラメーターの情報等を記憶する。
【００４１】
撮影制御部１２３０は、撮影部１１００による撮影の制御を行う。具体的に、本実施形態においては、撮影制御部１２３０は、断層画像撮影部１１３０による断層画像の撮影制御、及び、眼底正面画像撮影部１１２０による眼底正面画像の撮影制御を行う。この撮影制御部１２３０は、図３に示すように、ＯＣＴ撮影制御部１２３１、ＳＬＯ撮影制御部１２３２、固視標投影制御部１２３３、及び、気晴らし光投影制御部１２３４を有して構成されている。
【００４２】
ＯＣＴ撮影制御部１２３１は、断層画像撮影部１１３０による断層画像の撮影制御を行う。具体的に、ＯＣＴ撮影制御部１２３１は、断層画像撮影部１１３０のＯＣＴ走査光学系１１３７に走査制御信号を送り、被検眼Ｅの眼底Ｅｒに対してｘ方向及びｙ方向にＯＣＴ測定光を走査させる。さらに、ＯＣＴ撮影制御部１２３１は、断層画像撮影部１１３０のＳＬＤ光源１１３５、参照ミラー１１３９、更にはＯＣＴフォーカスレンズ（不図示）の位置制御も行う。
【００４３】
このＯＣＴ撮影制御部１２３１の制御により、画像生成部１２１０は、ＯＣＴ信号検出部１１３４で検出されたＯＣＴ信号のデータをフーリエ変換し、得られたデータを輝度或いは濃度情報に変換することによって被検眼の深さ方向（ｚ方向）の画像を生成する。ここで、このような走査方式をＡスキャンと呼び、また、得られる断層画像をＡスキャン画像と呼ぶ。
【００４４】
そして、ＯＣＴ撮影制御部１２３１の制御により、ＯＣＴ走査光学系１１３７においてＯＣＴ測定光を走査することによって、画像生成部１２１０は、複数のＡスキャン画像を取得することができる。例えば、ｘ方向に走査すればｘｚ面における断層画像が得られ、ｙ方向に走査すればｙｚ面における断層画像が得られる。このように、被検眼Ｅを所定の横断方向に走査する走査方式をＢスキャンと呼び、また、得られる断層画像をＢスキャン画像と呼ぶ。
【００４５】
さらに、ＯＣＴ走査光学系１１３７において、このＢスキャンを被検眼Ｅの所定の方向に繰り返し行うことによって、画像生成部１２１０は、複数のＢスキャン画像を取得することができる。例えば、ｘｚ面のＢスキャンをｙ方向に繰り返し行うことによってｘｙｚ空間の３次元の画像を得ることができる。このような走査方式をＣスキャンと呼び、また、得られた複数のＢスキャン画像から成る画像を３次元断層画像と呼ぶ。
【００４６】
ＳＬＯ撮影制御部１２３２は、眼底正面画像撮影部１１２０による眼底正面画像の撮影制御を行う。具体的に、ＳＬＯ撮影制御部１２３２は、眼底正面画像撮影部１１２０のＳＬＯレーザー光源１１２１に制御信号を送り、ＳＬＯ測定光の点灯／消灯と光量調整を行う。また、ＳＬＯ撮影制御部１２３２は、眼底正面画像撮影部１１２０のＳＬＯ走査光学系１１２３に走査制御信号を送り、被検眼Ｅの眼底Ｅｒに対してｘ方向及びｙ方向にＳＬＯ測定光を走査させる。さらに、ＳＬＯ撮影制御部１２３２は、眼底正面画像撮影部１１２０のＳＬＯフォーカスレンズ（不図示）の位置制御も行う。
【００４７】
このＳＬＯ撮影制御部１２３２の制御により、画像生成部１２１０は、ＳＬＯ信号検出部１１２２で検出されたＳＬＯ信号に基づいて得られた輝度値を並べて、ｘ方向及びｙ方向の２次元の眼底正面画像を生成する。ここでは、眼底正面画像の走査方法としてプログレッシブモードを想定したものとするが、このモードに限らず、例えば、眼底Ｅｒを走査するＳＬＯ走査光学系１１２３を制御しながらインタレースモードを用いた眼底正面画像の撮影を行ってもよい。
【００４８】
固視標投影制御部１２３３は、固視標投影部１１１１の制御を行う。具体的に、固視標投影制御部１２３３は、被検眼Ｅの眼底Ｅｒ上での固視標の投影位置や、その輝度、その形状、その色、その点灯、消灯または点滅などの制御を行う。固視標投影制御部１２３３は、例えば固視標投影部１１１１が２次元（２Ｄ）のＬＣＤ装置である場合には、固指標を所望の位置に投影するように当該ＬＣＤ装置の表示を制御してもよい。また、固視標投影制御部１２３３は、例えば固視標投影部１１１１が光源を有して構成されているものである場合には、固視標が所望の位置で走査されるようにＯＣＴ走査光学系１１３７等とは異なる第２の走査手段（不図示）を制御してもよい。
【００４９】
気晴らし光投影制御部１２３４は、気晴らし光投影部１１１２の制御を行う。具体的に、気晴らし光投影制御部１２３４は、被検眼Ｅの眼底Ｅｒ上での気晴らし光の投影位置や、その輝度、その形状、その色、その点灯、消灯または点滅などの制御を行う。本実施形態においては、気晴らし光投影制御部１２３４は、ＯＣＴ走査光学系１１３７によるＯＣＴ測定光（或いはＳＬＯ走査光学系１１２３によるＳＬＯ測定光）の走査と固視標投影部１１１１よる固視標の投影位置とに応じて、ＯＣＴ測定光（或いはＳＬＯ測定光）が照射されている位置とは異なる位置に、気晴らし光の投影位置を移動する制御を行う。ここで、ＯＣＴ走査光学系１１３７により走査されるＯＣＴ測定光（或いはＳＬＯ走査光学系１１２３により走査されるＳＬＯ測定光）は、「第１の光」に相当し、気晴らし光投影制御部１２３４により投影位置が制御される気晴らし光は、「第２の光」に相当する。気晴らし光投影制御部１２３４は、例えば気晴らし光投影部１１１２が２次元（２Ｄ）のＬＣＤ装置である場合には、気晴らし光を所望の位置に移動させて投影するように当該ＬＣＤ装置の表示を制御してもよい。また、気晴らし光投影制御部１２３４は、例えば気晴らし光投影部１１１２が光源を有して構成されているものである場合には、例えばライン状の気晴らし光がＯＣＴ測定光が照射される位置に向かって移動されるようにＯＣＴ走査光学系１１３７等とは異なる第２の走査手段（不図示）を制御してもよいし、或いは、例えば気晴らし光が所望の位置で走査されるようにＯＣＴ走査光学系１１３７等とは異なる第２の走査手段（不図示）を制御してもよい。
【００５０】
表示制御部１２４０は、画像生成部１２１０で生成された断層画像（例えばＢスキャン画像）や眼底正面画像、更には、記憶部１２２０に記憶されている断層画像（例えばＢスキャン画像）や眼底正面画像や各種の情報等を表示部１３００に表示する制御を行う。
【００５１】
なお、本実施形態においては、投影部１１１０の内部に固視標投影部１１１１と気晴らし光投影部１１１２とを独立して設ける例を説明したが、これに限定されるものではない。例えば、固視標投影部１１１１の機能と気晴らし光投影部１１１２の機能を兼ねた１つの投影部を構成し、当該１つの投影部から固視標の投影と気晴らし光の投影とを行う形態も適用可能である。この場合、固視標投影制御部１２３３と気晴らし光投影制御部１２３４とを独立して設ける必要はなく、例えば両方の機能を有する投影制御部を構成し、当該投影制御部において上述した１つの投影部を制御する形態を採る。
【００５２】
図４は、図３に示す画像生成部１２１０で生成された眼底正面画像及び断層画像（Ｂスキャン画像）の一例を示す図である。具体的に、図４（ａ）に、眼底正面画像撮影部１１２０の撮影により得られた眼底正面画像４１０を示し、図４（ｂ）に、断層画像撮影部１１３０により得られ断層画像（Ｂスキャン画像）４２０を示す。
【００５３】
図４において、矢印４０１は、水平スキャンの方向を表し、矢印４０２は、垂直スキャンの方向を表している。また、矢印４０３は、断層画像（Ｂスキャン画像）４２０に示すＡスキャン４２１の奥行き方向を表している。また、図４（ａ）に示す眼底正面画像４１０上の点線４１１は、断層画像（Ｂスキャン画像）４２０の撮影位置を示している。
【００５４】
次に、本実施形態の眼科撮影装置１０００における表示部１３００の表示例について説明する。
図５は、本発明の第１の実施形態に係る眼科撮影装置１０００の表示部１３００の表示例を示す図である。
【００５５】
図５には、表示部１３００に表示される表示画面５００の一例が示されている。この表示画面５００には、眼底正面画像５１０、断層画像５２０，５３０，５４０，５５０、フォーカス調整スライダー５６０、参照ミラー位置調整スライダー５７０、及び、測定開始ボタン５８０が示されている。
【００５６】
眼底正面画像５１０は、眼底正面画像撮影部１１２０で撮影され、画像生成部１２１０で生成された眼底正面画像である。
【００５７】
断層画像５２０，５３０，５４０，５５０は、断層画像撮影部１１３０で撮影され、画像生成部１２１０で生成された断層画像である。具体的に、断層画像５２０は、眼底正面画像５１０上に重畳表示された走査位置５１１−１を走査（スキャン）することにより得られた断層画像である。また、断層画像５３０は、眼底正面画像５１０上に重畳表示された走査位置５１１−２を走査（スキャン）することにより得られた断層画像である。また、断層画像５４０は、眼底正面画像５１０上に重畳表示された走査位置５１１−３を走査（スキャン）することにより得られた断層画像である。また、断層画像５５０は、眼底正面画像５１０上に重畳表示された走査位置５１１−４を走査（スキャン）することにより得られた断層画像である。
【００５８】
また、眼底正面画像５１０には、固視標投影部１１１１により眼底Ｅｒに投影された固視標５１２が示されている。
【００５９】
フォーカス調整スライダー５６０は、操作者がフォーカスを調整する際に操作するスライダーである。参照ミラー位置調整スライダー５７０は、操作者が参照ミラーの位置を調整する際に操作するスライダーである。測定開始ボタン５８０は、操作者が被検眼Ｅの測定を開始する際に操作するボタンである。
【００６０】
さらに、図５について以下に具体的に説明する。
まず、操作者が、眼底正面画像５１０を観察しながら対物レンズ等の対物光学系１１３１の正面に被検眼Ｅを位置させる。その後、ＳＬＯ走査光学系１１２３のｘｙ方向の走査を行うことにより画像生成部１２１０で眼底正面画像が生成され、また、ＯＣＴ走査光学系１１３７のｘｙ方向の走査を行うことにより画像生成部１２１０で断層画像が生成される。
【００６１】
その後、操作者は、眼底正面画像５１０、断層画像５２０，５３０，５４０，５５０を観察しながら、マウスやマウスカーソル等の操作入力部（不図示）を用いて、フォーカス調整スライダー５６０や参照ミラー位置調整スライダー５７０を操作する。この操作がなされると、撮影制御部１２３０がこれを検知し、撮影制御部１２３０は、当該検知に基づいて撮影部１１００を制御し、断層画像撮影のフォーカスや眼底正面画像撮影のフォーカス、参照ミラー１１３９の位置等を調整する。ここでは、フォーカス調整スライダー５６０で断層画像撮影のフォーカスと眼底照明撮影のフォーカスとの両方を調整することとしたが、本実施形態においてはこれに限定されるものではない。例えば、断層画像撮影のフォーカスと眼底正面撮影のフォーカスとを、それぞれ、独立したフォーカス調整スライダーを用いて調整するようにしてもよい。なお、これらの断層画像と眼底正面画像は、適宜更新される。
【００６２】
また、操作者は、操作入力部（不図示）を用いて、走査位置５１１−１〜５１１−４を適宜変更したり、固視標５１２の位置を適宜変更したりする。この操作がなされると、撮影制御部１２３０がこれを検知し、撮影制御部１２３０は、当該検知に基づいて撮影部１１００を制御する。
【００６３】
また、操作者は、操作入力部（不図示）を用いて、測定開始ボタン５８０を押下する操作を行う。この操作がなされると、撮影制御部１２３０がこれを検知し、撮影制御部１２３０は、当該検知に基づいて撮影部１１００を制御する。
【００６４】
次に、本実施形態に係る眼科撮影装置１０００の処理手順について説明する。
図６は、本発明の第１の実施形態に係る眼科撮影装置１０００の制御方法における処理手順の一例を示すフローチャートである。
【００６５】
まず、図６のステップＳ１０１において、操作者が図５に示す表示画面５００に対して操作入力部（不図示）を用いて操作入力を行うと、撮影制御部１２３０がこれを検知する。そして、撮影制御部１２３０は、断層画像を取得する走査位置５１１−１〜５１１−４や、固視標５１２の位置、フォーカス調整スライダー５６０、参照ミラー位置調整スライダー５７０及び測定開始ボタン５８０の操作に基づく、撮影パラメーターを取得する。
【００６６】
続いて、ステップＳ１０２において、撮影制御部１２３０は、ステップＳ１０１で取得した撮影パラメーターに基づいて、ＯＣＴ撮影制御部１２３１やＳＬＯ撮影制御部１２３２、固視標投影制御部１２３３、気晴らし光投影制御部１２３４に、撮影パラメーターを設定する。
【００６７】
続いて、ステップＳ１０３において、固視標投影制御部１２３３は、ステップＳ１０２で設定された撮影パラメーターに基づいて、固視標投影部１１１１に対して、固視標の投影位置や、その色、その輝度、その点滅状態等の制御を行う。
【００６８】
続いて、ステップＳ１０４において、ＳＬＯ撮影制御部１２３２は、ステップＳ１０２で設定された撮影パラメーターに基づいて、眼底正面画像撮影部１１２０による眼底正面画像撮影を制御する。これにより、眼底正面画像撮影部１１２０で眼底正面画像撮影が行われ、画像生成部１２１０は、眼底正面画像の生成を行ってこれを記憶部１２２０に記憶する。
【００６９】
続いて、ステップＳ１０５において、表示制御部１２４０は、ステップＳ１０４で記憶部１２２０に記憶された眼底正面画像を表示部１３００に送り、表示画面５００の眼底正面画像５１０を更新する制御を行う。
【００７０】
続いて、ステップＳ１０６において、ＯＣＴ撮影制御部１２３１は、ステップＳ１０２で設定された撮影パラメーターに基づいて、断層画像撮影部１１３０によるプレビュー断層画像撮影を制御する。これにより、断層画像撮影部１１３０でプレビュー断層画像撮影が行われ、画像生成部１２１０は、プレビュー断層画像の生成を行ってこれを記憶部１２２０に記憶する。
【００７１】
続いて、ステップＳ１０７において、表示制御部１２４０は、ステップＳ１０６で記憶部１２２０に記憶されたプレビュー断層画像を表示部１３００に送り、表示画面５００のプレビュー断層画像５２０，５３０，５４０，５５０を更新する制御を行う。
【００７２】
続いて、ステップＳ１０８において、撮影制御部１２３０は、操作者が操作入力部（不図示）を用いて測定開始ボタン５８０を押下する操作を行ったか否かを判断する。この判断の結果、操作者が測定開始ボタン５８０を押下する操作を行っていない場合には（Ｓ１０８／ＮＯ）、ステップＳ１０１に戻り、ステップＳ１０１以降の処理を再度行う。
【００７３】
一方、ステップＳ１０８の判断の結果、操作者が測定開始ボタン５８０を押下する操作を行った場合には（Ｓ１０８／ＹＥＳ）、ステップＳ１０９に進む。
ステップＳ１０９に進むと、撮影制御部１２３０は、撮影部１１００の制御を行い、被検眼Ｅの眼底Ｅｒの３次元断層画像（３Ｄ断層画像）の撮影を行う。
【００７４】
ステップＳ１０９の処理が終了すると、図６のフローチャートの処理を終了する。
【００７５】
次に、図６のステップＳ１０９における３次元断層画像撮影処理（３Ｄ断層画像撮影処理）の詳細な処理手順について説明する。
図７は、図６のステップＳ１０９における３次元断層画像撮影処理（３Ｄ断層画像撮影処理）の詳細な処理手順の一例を示すフローチャートである。
【００７６】
図６のステップＳ１０９が開始されると、まず、図７のステップＳ２０１において、ＯＣＴ撮影制御部１２３１は、ステップＳ１０２で設定された撮影パラメーターに基づいて、断層画像撮影部１１３０のＯＣＴ走査光学系１１３７による走査位置制御を行う。具体的に、本実施形態では、ＯＣＴ走査光学系１１３７によるＯＣＴ測定光の走査は、主走査（主スキャン）をｘ方向、副走査（副スキャン）をｙ方向とし、主スキャンのｘ方向に走査した後に、ｙ方向の走査開始位置を変えて再度ｘ方向に走査を行うものとする。即ち、ここでは、ＯＣＴ撮影制御部１２３１は、断層画像撮影部１１３０のＯＣＴ走査光学系１１３７によるＢスキャン位置の制御を行う。
【００７７】
続いて、ステップＳ２０２において、気晴らし光投影制御部１２３４は、ステップＳ１０２で設定された撮影パラメーター（例えば、断層画像の走査位置や固視標の投影位置等）に基づいて、気晴らし光投影部１１１２を制御する。具体的に、本実施形態では、気晴らし光投影制御部１２３４は、ＯＣＴ走査光学系１１３７によるＯＣＴ測定光の走査と固視標の投影位置とに応じて、ＯＣＴ測定光が照射されている位置とは異なる位置に、気晴らし光投影部１１１２による気晴らし光の投影位置を移動する制御を行う。この具体例については、図８を用いて後述する。
【００７８】
続いて、ステップＳ２０３において、ＯＣＴ撮影制御部１２３１は、ＯＣＴ走査光学系１１３７を制御し、３次元断層画像におけるＢスキャン画像の撮影制御を行う。
【００７９】
ここで、本実施形態の気晴らし光投影制御部１２３４による気晴らし光投影制御の具体例について説明する。
【００８０】
図８は、本発明の第１の実施形態に係る眼科撮影装置１０００の気晴らし光投影制御部１２３４による気晴らし光投影制御の具体例を示す図である。
【００８１】
ここでは、本実施形態の気晴らし光投影制御部１２３４による気晴らし光投影制御の具体例として、図８（ａ）を用いて説明する。
【００８２】
図８（ａ）では、被検眼の眼底面８００において、矢印８０１は水平スキャンの方向を表し、矢印８０２は、垂直スキャンの方向を表している。図８（ａ）の場合には、水平スキャンを主スキャンとし、垂直スキャンを副スキャンとしている。また、被検眼の眼底面８００には、固視標投影部１１１１による固視標の投影位置８１０、ＯＣＴ走査光学系１１３７によるＯＣＴ測定光の走査位置８２１、及び、気晴らし光投影部１１１２による気晴らし光の投影位置８２２が示されている。具体的に、図８（ａ）の例では、主スキャンに係るＯＣＴ測定光の走査位置８２１と気晴らし光の投影位置８２２とは同じ方向となっており、また、これらは並行になっている。ここで、被検者は、固視標を見るので、図８（ａ）では、被検眼Ｅの黄斑の上に固視標が投影されている。また、図８（ａ）に示す例では、ＯＣＴ測定光の走査位置８２１と気晴らし光の投影位置８２２とは固視標の投影位置８１０から同じ距離だけ離れた位置となっており、固視標の投影位置８１０に対してＯＣＴ測定光の走査位置８２１と気晴らし光の投影位置８２２とは対称になっている。
【００８３】
図８（ａ）の場合、例えば、ＯＣＴ測定光の走査位置８２１が矢印８２３の方向に移動すると（副スキャンを行うと）、気晴らし光投影制御部１２３４は、気晴らし光の投影位置８２２を矢印８２３の方向（ＯＣＴ測定光の主走査方向に交差する方向であってＯＣＴ測定光の副走査方向）とは逆方向である矢印８２４の方向に移動する制御を行う。より具体的に、図８（ａ）の場合には、気晴らし光投影制御部１２３４は、固視標の投影位置８１０とＯＣＴ測定光の走査位置８２１との第１の距離と、固視標の投影位置８１０と気晴らし光の投影位置８２２との第２の距離とが同じになるように、気晴らし光の投影位置８２２を移動する制御を行う。また、本実施形態では、例えば、ＯＣＴ測定光の走査位置８２１における矢印８２３の方向の移動と、気晴らし光の投影位置８２２における矢印８２４の方向の移動とは、並行して行う（同時に行う）ことができるものとする。
【００８４】
なお、図８（ａ）を用いて説明した気晴らし光投影制御部１２３４による気晴らし光の投影位置８２２の移動制御は、飽くまでも一例を示したものであり、本発明はこの態様に限定されるものではない。
【００８５】
ここで、再び、図７の説明に戻る。
ステップＳ２０３の処理が終了すると、ステップＳ２０４に進む。
ステップＳ２０４に進むと、撮影制御部１２３０は、３次元断層画像（３Ｄ断層画像）に係る所定数のＢスキャンが終了したか否かを判断する。この判断の結果、所定数のＢスキャンが終了していない場合には（Ｓ２０４／ＮＯ）、ステップＳ２０１に戻り、未だ行っていないＢスキャンを行うべく、ＯＣＴ測定光の走査位置８２１と気晴らし光の投影位置８２２を移動させて撮影を行う。
【００８６】
一方、ステップＳ２０４の判断の結果、所定数のＢスキャンが終了した場合には（Ｓ２０４／ＹＥＳ）、図７のフローチャートの処理（即ち、図６のステップＳ１０９の処理）を終了する。
【００８７】
次に、本実施形態に係る眼科撮影装置１０００の気晴らし光投影制御部１２３４による気晴らし光投影制御の変形例１〜３について、図８を用いて以下に説明する。
【００８８】
＜第１の実施形態の変形例１＞
まず、気晴らし光投影制御部１２３４による気晴らし光投影制御の変形例１について、図８（ｂ）を用いて説明する。なお、図８（ｂ）において、図８（ａ）と同じ構成については同じ符号を付しており、その詳細な説明は省略する。
【００８９】
図８（ａ）の例では、水平スキャンを主スキャンとし、垂直スキャンを副スキャンとして説明を行ったが、本実施形態においてはこれに限定されるものではない。例えば、垂直スキャンを主スキャンとし、水平スキャンを副スキャンとしてもよい。図８（ｂ）では、垂直スキャンを主スキャンとし、水平スキャンを副スキャンとした場合の例を示している。この図８（ｂ）の被検眼の眼底面８００には、固視標投影部１１１１による固視標の投影位置８１０、ＯＣＴ走査光学系１１３７によるＯＣＴ測定光の走査位置８３１、及び、気晴らし光投影部１１１２による気晴らし光の投影位置８３２が示されている。具体的に、図８（ｂ）の例では、ＯＣＴ測定光の走査位置８３１に係る主スキャンは垂直方向（矢印８０２の方向）になっており、同様に、気晴らし光の投影位置８３２に係る投影方向も垂直方向になっている。また、図８（ｂ）に示す例でも、図８（ａ）に示す例と同様に、ＯＣＴ測定光の走査位置８３１と気晴らし光の投影位置８３２とは固視標の投影位置８１０から同じ距離だけ離れた位置となっている。即ち、固視標の投影位置８１０に対してＯＣＴ測定光の走査位置８３１と気晴らし光の投影位置８３２とは対称になっている。
【００９０】
図８（ｂ）の場合、例えば、ＯＣＴ測定光の走査位置８３１が矢印８３３の方向に移動すると（副スキャンを行うと）、気晴らし光投影制御部１２３４は、気晴らし光の投影位置８３２を矢印８３３の方向（ＯＣＴ測定光の主走査方向に交差する方向であってＯＣＴ測定光の副走査方向）とは逆方向である矢印８３４の方向に移動する制御を行う。より具体的に、図８（ｂ）の場合には、気晴らし光投影制御部１２３４は、固視標の投影位置８１０とＯＣＴ測定光の走査位置８３１との第１の距離と、固視標の投影位置８１０と気晴らし光の投影位置８３２との第２の距離とが同じになるように、気晴らし光の投影位置８３２を移動する制御を行う。また、本実施形態では、例えば、ＯＣＴ測定光の走査位置８３１における矢印８３３の方向の移動と、気晴らし光の投影位置８２２における矢印８３４の方向の移動とは、並行して行う（同時に行う）ことができるものとする。
【００９１】
なお、図８（ｂ）を用いて説明した気晴らし光投影制御部１２３４による気晴らし光の投影位置８３２の移動制御は、飽くまでも一例を示したものであり、本発明はこの態様に限定されるものではない。例えば、主スキャンを斜め方向に行う場合や、ＯＣＴ測定光の走査軌跡と気晴らし光の投影軌跡とが並行で無い場合、或いは、その他の組み合わせを適用することも可能である。
【００９２】
＜第１の実施形態の変形例２＞
次いで、気晴らし光投影制御部１２３４による気晴らし光投影制御の変形例２について、図８（ｃ）を用いて説明する。なお、図８（ｃ）において、図８（ａ）と同じ構成については同じ符号を付しており、その詳細な説明は省略する。
【００９３】
図８（ｃ）の被検眼の眼底面８００には、固視標投影部１１１１による固視標の投影位置８１０、ＯＣＴ走査光学系１１３７によるＯＣＴ測定光の走査位置８４１、及び、気晴らし光投影部１１１２による気晴らし光の投影位置８４２が示されている。ここで、図８（ｃ）では、水平スキャンを主スキャンとし、垂直スキャンを副スキャンとした場合の例を示している。
【００９４】
図８（ｃ）の場合、例えば、ＯＣＴ測定光の走査位置８４１が矢印８４３の方向に移動すると（副スキャンを行うと）、気晴らし光投影制御部１２３４は、気晴らし光の投影位置８４２を矢印８４４の方向に回転移動する制御を行う。より具体的に、図８（ｃ）の場合には、気晴らし光投影制御部１２３４は、固視標の投影位置８１０を中心として、気晴らし光の投影位置８４２を矢印８４４の方向に回転移動する制御を行う。また、本実施形態では、例えば、ＯＣＴ測定光の走査位置８４１における矢印８４３の方向の移動と、気晴らし光の投影位置８４２における矢印８４４の方向の移動とは、並行して行う（同時に行う）ことができるものとする。
【００９５】
なお、図８（ｃ）を用いて説明した気晴らし光投影制御部１２３４による気晴らし光の投影位置８４２の移動制御は、飽くまでも一例を示したものであり、本発明はこの態様に限定されるものではない。例えば、図８（ｃ）の例とは逆に、ＯＣＴ測定光をラジアルスキャン（ＯＣＴ測定光の走査位置８３１を回転移動）をし、気晴らし光の投影位置８４２を垂直方向または水平方向に移動するようにすることも適用可能である。
【００９６】
以上の図８（ａ）〜図８（ｃ）においては、３次元断層画像の撮影の際に、被検眼Ｅの固視を安定させるために固視標を投影位置８１０に投影している。ただし、ＯＣＴ測定光の走査位置を移動させるＯＣＴ測定光の走査を行うと、被検者は、そのＯＣＴ測定光の走査軌跡を注目する傾向がある。そこで、図８（ａ）〜図８（ｃ）に示す例では、被検者のＯＣＴ測定光への注目を逸らすために、気晴らし光を投影し、更に、その気晴らし光の投影位置を移動制御するようにしている。このように、被検者に気晴らし光を提示することによって、ＯＣＴ測定光との注目のバランスが取れて、固視標により注目することができる結果、被検者の固視を安定させることができ、良好な被検眼の画像を撮影することが可能となる。
【００９７】
＜第１の実施形態の変形例３＞
次いで、気晴らし光投影制御部１２３４による気晴らし光投影制御の変形例３について、図８（ｄ）を用いて説明する。なお、図８（ｄ）において、図８（ａ）と同じ構成については同じ符号を付しており、その詳細な説明は省略する。
【００９８】
図８（ｄ）の被検眼の眼底面８００には、固視標投影部１１１１による固視標の投影位置８１０、ＯＣＴ走査光学系１１３７によるＯＣＴ測定光の走査位置８５１、並びに、気晴らし光投影部１１１２による気晴らし光の投影位置８５２及び８５３が示されている。ここで、図８（ｄ）では、水平スキャンを主スキャンとし、垂直スキャンを副スキャンとした場合の例を示している。具体的に、図８（ｄ）では、ＯＣＴ測定光の走査位置８５１に係る主スキャンは水平方向（矢印８０１の方向）になっており、同様に、気晴らし光の投影位置８５２及び８５３に係る投影方向も水平方向になっている。
【００９９】
本変形例３では、図８（ｄ）に示すように、気晴らし光の投影位置８５２及び８５３に係る気晴らし光の長さは、ＯＣＴ測定光の走査位置８５１に係るＯＣＴ測定光の長さと同じになっている。また、本変形例３では、図８（ｄ）に示すように、気晴らし光の投影位置８５２及び８５３に係る気晴らし光の幅は、ＯＣＴ測定光の走査位置８５１に係るＯＣＴ測定光の幅よりも大きい幅となっている（即ち、帯状の気晴らし光となっている）。ここでは、例えば、気晴らし光の投影位置８５２及び８５３に係る気晴らし光の幅は、副スキャン方向におけるＯＣＴ測定光の走査範囲の５分の１とする。また、本変形例３では、複数（図８（ｄ）では２つ）の気晴らし光が投影されている。また、図８（ｄ）では、主スキャンに係るＯＣＴ測定光の走査位置８５１と気晴らし光の投影位置８５２及び８５３とは同じ方向となっており、また、これらは並行になっている。
【０１００】
また、図８（ｄ）に示す例では、気晴らし光の投影位置８５２と気晴らし光の投影位置８５３とは固視標の投影位置８１０から同じ距離だけ離れた位置となっており、固視標の投影位置８１０に対して気晴らし光の投影位置８５２と気晴らし光の投影位置８５３とは対称になっている。
【０１０１】
上述したように、図８（ｄ）では、主スキャンを水平方向（矢印８０１の方向）とし、副スキャンを垂直方向（矢印８０２の方向）としており、１つの主スキャンが終わると、次の主スキャンは異なる垂直方向の位置で行われることになる。そして、図８（ｄ）の場合、例えば、ＯＣＴ測定光の走査位置８５１が矢印８５４の方向に移動すると（副スキャンを行うと）、気晴らし光投影制御部１２３４は、気晴らし光の投影位置８５２を矢印８５５の方向に移動する制御を行うとともに気晴らし光の投影位置８５３を矢印８５６の方向に移動する制御を行う。具体的に、気晴らし光投影制御部１２３４は、２つの気晴らし光のうちの一方の気晴らし光（一方の第２の光）については、ＯＣＴ測定光が照射されている位置とは異なる位置に当該一方の気晴らし光の投影位置８５３を移動する制御を行う。また、気晴らし光投影制御部１２３４は、他方の気晴らし光（他方の第２の光）については、当該他方の気晴らし光の中に、ＯＣＴ測定光の走査位置８５１に係るＯＣＴ測定光が含まれるように当該他方の気晴らし光の投影位置８５２を移動する制御を行う。この際、例えば、気晴らし光投影制御部１２３４は、垂直方向（矢印８０２の方向）に関して、ＯＣＴ測定光の走査位置８５１が他方の気晴らし光の投影位置８５２の中央に位置するように、当該他方の気晴らし光の投影位置８５２を移動する制御を行う。また、気晴らし光投影制御部１２３４は、一方の気晴らし光の投影位置８５３については、固視標の投影位置８１０と一方の気晴らし光の投影位置８５３との第１の距離と、固視標の投影位置８１０と他方の気晴らし光の投影位置８５２との第２の距離とが同じになるように、当該一方の気晴らし光の投影位置８５３を移動する制御を行う。また、本実施形態では、例えば、ＯＣＴ測定光の走査位置８５１における矢印８５４の方向の移動と、気晴らし光の投影位置８５２における矢印８５５の方向の移動及び気晴らし光の投影位置８５３における矢印８５６の方向の移動とは、並行して行う（同時に行う）ことができるものとする。
【０１０２】
なお、図８（ｄ）を用いて説明した気晴らし光投影制御部１２３４による気晴らし光の投影位置８５２及び８５３の移動制御は、飽くまでも一例を示したものであり、本発明はこの態様に限定されるものではない。例えば、図８（ｄ）では、気晴らし光の投影位置８５２及び８５３に係る２つの気晴らし光を投影する例を示したが、例えば３つ以上の気晴らし光を投影するようにしてもよい。また、気晴らし光の投影位置８５２及び８５３に係る気晴らし光の長さを、ＯＣＴ測定光の走査位置８５１に係るＯＣＴ測定光の長さと異なる（例えば、倍の長さとする或いはその他の長さにする）ようにしてもよい。また、気晴らし光の投影位置８５２及び８５３に係る気晴らし光の幅は、副スキャン方向におけるＯＣＴ測定光の走査範囲の５分の１ではなく、例えば、１０分の１とすることや、その他の任意の値にしてもよい。
【０１０３】
以上の図８（ｄ）においては、被検者のＯＣＴ測定光への注目を逸らすために、気晴らし光を投影し、また、その気晴らし光の投影位置を移動制御するようにしている。このように、被検者に気晴らし光を提示することによって、ＯＣＴ測定光との注目のバランスが取れて、固視標により注目することができる結果、被検者の固視を安定させることができ、良好な被検眼の画像を撮影することが可能となる。さらに、ＯＣＴ測定光が含まれるように帯状の他方の気晴らし光を投影することにより、ＯＣＴ測定光の走査に対する被検者の注目を和らげることもできる。
【０１０４】
（第２の実施形態）
次に、本発明の第２の実施形態について説明する。
第１の実施形態では、図２に示す気晴らし光投影部１１１２を固視標投影部１１１１と別構成で設ける例について説明した。第２の実施形態は、これらの投影部を１つの投影部として構成する例について説明する。
【０１０５】
第２の実施形態に係る眼科撮影装置の概略構成は、図１に示す第１の実施形態に係る眼科撮影装置１０００の概略構成と同じである。ただし、図１に示す撮影部１１００の概略構成が第１の実施形態とは異なるため、図９を用いて以下に説明する。
【０１０６】
図９は、本発明の第２の実施形態を示し、図１に示す撮影部１１００の概略構成の一例を示す図である。なお、以下の説明においては、図２に示す、第２の実施形態における撮影部１１００を「撮影部１１００−２」として説明する。なお、この図９において、図２に示す構成と同じ構成については同じ符号を付しているため、その詳細な説明は省略する。
【０１０７】
撮影部１１００−２は、図９に示すように、眼底正面画像撮影部２１２０、及び、断層画像撮影部２１３０を有して構成されている。
【０１０８】
眼底正面画像撮影部２１２０は、図９に示すように、ＳＬＯレーザー光源１１２１、ＳＬＯ信号検出部１１２２、ＳＬＯ走査光学系１１２３、光分割部材１１２４、固視標・気晴らし光投影部２１２１、及び、光分割部材２１２２を有して構成されている。即ち、眼底正面画像撮影部２１２０は、図２に示す眼底正面画像撮影部１１２０の構成に加えて、固視標・気晴らし光投影部２１２１及び光分割部材２１２２を更に設けたものである。即ち、本実施形態では、眼底正面画像撮影部２１２０の内部に、固視標・気晴らし光投影部２１２１を構成したものである。
【０１０９】
固視標・気晴らし光投影部２１２１は、図２に示す固視標投影部１１１１の機能と気晴らし光投影部１１１２の機能を備えるものであって、例えば光源を有して構成されているものである。ここでは、固視標・気晴らし光投影部２１２１は、例えば波長が５５０ｎｍ程度の緑色の光を投影するタイミングを異ならせる（投影タイミングを切り替える）ことにより、固視標と気晴らし光との両方を投影するものとする。なお、ここで提示した光の波長は飽くまでも一例であり、可視光であればその他の波長でもよい。また、固視標・気晴らし光投影部２１２１は、所定の光の投影タイミングを切り替えることにより固視標と気晴らし光を投影するようにしているが、この投影タイミングの切り替えは高速に行われるため、本実施形態においては、被検眼Ｅでは固視標と気晴らし光とが同時に投影されていると認識できるものとする。また、図９では、眼底正面画像撮影部２１２０の内部に固視標と気晴らし光との両方を投影する固視標・気晴らし光投影部２１２１を設けているが、これに限定されるものではなく、眼底正面画像撮影部２１２０の内部にそれぞれ独立した構成として設けてもよい。
【０１１０】
光分割部材２１２２は、波長帯域ごとに、気晴らし光（更には固視標を含む）の光路とＳＬＯ測定光の光路に分岐する光学部材である。この光分割部材２１２２は、例えばダイクロミラーであり、固視標・気晴らし光投影部２１２１からの可視光である固視標及び気晴らし光と、ＳＬＯレーザー光源１１２１からの赤外光であるＳＬＯレーザー光とを光分割する。ただし、光分割部材２１２２は、ダイクロミラーに限定されるものではなく、その他の光分割部材（例えば孔空きミラー）でもよい。
【０１１１】
本実施形態では、固視標投影制御部１２３３及び気晴らし光投影制御部１２３４は、それぞれ、ＳＬＯ走査光学系１１２３の動きに合わせて（連動して）、固視標・気晴らし光投影部２１２１の点灯／消灯を行って、固視標及び気晴らし光の投影制御を行う。例えば、気晴らし光投影制御部１２３４及び固視標投影制御部１２３３は、それぞれ、ＯＣＴ走査光学系１１３７とは異なる第２の走査手段であるＳＬＯ走査光学系１１２３を介して、気晴らし光及び固視標がＯＣＴ測定光が照射されている位置とは異なる位置に投影されるように、気晴らし光及び固視標が投影されるタイミングで固視標・気晴らし光投影部２１２１を制御する。
【０１１２】
そして、本実施形態においても、気晴らし光投影制御部１２３４は、上述した第１の実施形態と同様に、固視標・気晴らし光投影部２１２１による気晴らし光の投影位置を移動する制御を行う。
【０１１３】
第２の実施形態によれば、上述した第１の実施形態における効果に加えて、気晴らし光の投影と固視標の投影を１つの投影部から行うことにより、眼科撮影装置１０００をよりシンプルな構成とすることが可能となる。さらに、気晴らし光の投影と固視標の投影を１つの投影部から行うことにより、既存の眼科撮影装置であっても固視灯を利用して気晴らし光を投影することができるため、少ない変更で気晴らし光の投影制御を行うことが可能となる。
【０１１４】
（その他の実施形態）
なお、上述した第１の実施形態（第２の実施形態も含む）は、断層画像撮影部１１３０による断層画像の撮影の際に、ＯＣＴ走査光学系１１３７によるＯＣＴ測定光の走査に応じて、気晴らし光の投影位置を移動する制御を行う形態であった。しかしながら、本発明においては、この形態に限定されるものではない。例えば、眼底正面画像撮影部１１２０による眼底正面画像の撮影の際に、ＳＬＯ走査光学系１１２３によるＯＣＴ測定光の走査に応じて、気晴らし光の投影位置を移動する制御を行う形態も、本発明に適用可能である。
【０１１５】
また、上述した第１の実施形態（第２の実施形態も含む）は、測定光から注意を逸らすという観点から、測定光の走査に時間のかかる副走査に応じて、気晴らし光の投影位置を移動する制御を行う形態であった。しかしながら、本発明においては、この形態に限定されるものではない。例えば、上述した副走査に応じた気晴らし光の投影位置の移動制御に加えて（或いは換えて）、副走査に比べて走査に時間がかからない主走査に応じて、気晴らし光の投影位置を移動する制御を行う形態も、本発明に適用可能である。
【０１１６】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【０１１７】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、または、その主要な特徴から逸脱することなく、様々な形で実施することができる。
【符号の説明】
【０１１８】
８００：被検眼の眼底面、８１０：固視標の投影位置、８２１，８３１，８４１，８５１：ＯＣＴ測定光の走査位置、８２２，８３２，８４２，８５２，８５３：気晴らし光の投影位置
【図１】
2018094222.tif 000003
【図２】
2018094222.tif 000004
【図３】
2018094222.tif 000005
【図４】
2018094222.tif 000006
【図５】
2018094222.tif 000007
【図６】
2018094222.tif 000008
【図７】
2018094222.tif 000009
【図８】
2018094222.tif 000010
【図９】
2018094222.tif 000011